(57)【特許請求の範囲】
【請求項１】
換気ユニットと、室内に臨む換気ユニットの吸気開口および吹出開口に隣接した位置に設けられた輻射暖房ユニットとを備え、この輻射暖房ユニットのケースの底面に輻射開口を設けた浴室用換気装置であって、
前記換気ユニット側へ斜め下方に向けて、前記輻射開口から熱線を輻射させる輻射手段と、
前記輻射開口に対して輻射手段と反対方向からその輻射開口に向けて空気を送り出す送風手段とを前記ケース内に設け、
前記輻射開口には格子状のガード金具が取り付けられ、
前記送風手段は、送風ファンと、該送風ファンの周囲を囲むとともに吹出口を形成した案内風路部材とを備え、前記送風ファンの回転により前記吹出口から前記ガード金具が取り付けられた前記輻射開口に向けて空気を吹き出すことを特徴とする浴室換気装置。
【請求項２】
前記輻射手段は、熱線を発生するヒータと、このヒータの後方に配置されるとともに前記熱線を反射する反射板とを有し、この反射板の向きを可変にしたことを特徴とする請求項１に記載の浴室用換気装置。
【請求項３】
前記送風手段の吹出口の向きを可変にしたことを特徴とする請求項１に記載の浴室用換気装置。
【請求項４】
前記反射板の向きと前記送風手段の吹出口の向きとを連動させたことを特徴とする請求項３に記載の浴室用換気装置。
【発明の詳細な説明】
【０００１】
【発明の属する技術分野】
この発明は、換気ユニットと輻射暖房ユニットとを備えた浴室用換気装置に関する。
【０００２】
【従来の技術】
寒冷期においては、脱衣後入浴するまでのほか浴室に入った後も、浴室の室温が低いために寒さに耐えなければならない場合が多い。このようなことを緩和するために、浴室内の予備暖房をすることが考えられている。
【０００３】
従来、このような浴室の予備暖房装置としては、浴室用の換気扇にヒーターを設けたものが知られている。即ち、浴室の空気を建物の外側に送る換気扇に、浴室内の空気を循環させる循環系ユニットを設け、この循環系ユニットにヒータを設けた構造とされている。
【０００４】
循環系ユニットは、換気扇の排気系ユニットとは別系統の風路を形成するものであり、浴室内の空気を取り入れる吸入開口部の下流側にフィルターを設け、このフィルターの下流にファンを設け、このファンの下流にヒータを設け、ヒータの下流に送風用開口部を設けたものである。
【０００５】
この循環系ユニットのファン及び駆動用のモータは、小出力のものであり、浴室内の空気をヒータで暖めて乾燥や予備暖房を行うようになっている。
【０００６】
しかしながら、このような浴室乾燥暖房装置では、入浴前の予備暖房に時間がかかりすぎると共に、洗い場で体を洗っている場合等に水の蒸発熱を奪われて寒い思いをするという不具合が充分に解消されていない。
【０００７】
そこで、本願出願人は、その問題を解消するために特願２００１−１３９１４６に示す浴室用換気装置を提案した。
【０００８】
かかる浴室用換気装置１は、図１８に示すように、天井に埋め込まれる換気ユニット２と、天井から下方に突出する暖房ユニット３とを備えている。換気ユニット２の底面には、浴室内の空気を吸気する吸気口４と浴室内へ温風を吹き出す吹出口５とが設けられている。この吹出口５の近傍には温風用のヒータ(図示せず)が設けられている。また、ユニット２の側方には浴室内から吸気した空気を外へ排出する排気口６が設けられている。換気ユニット２内には図示しないダンパが設けられており、このダンパの切り換えにより吸気口４から吸気した空気を排気口６や吹出口５へ案内するようになっている。
【０００９】
暖房ユニット３は、熱線を輻射するヒータ７と反射板８等とを有している。この暖房ユニット３は、浴室内の温度が低い状態であっても熱線を輻射することにより、入浴者の体を暖めて寒さを感じさせないようにするものである。これは、換気ユニット２の吹出口５から温風を浴室内へ送風しても浴室内の温度が上昇するのに長時間要してしまい、その浴室内の温度が上昇する間、寒さを感じさせないようにするとともに、入浴者が洗い場で体を洗っている場合に、水の蒸発熱により体温が下がって寒さを感じてしまうのを防止するためのものである。
【００１０】
【発明が解決しようとする課題】
しかしながら、このような浴室用換気装置１にあっては、暖房ユニット３のヒータ７近傍に壁などがあると、そのヒータ７により壁の温度が上昇してしまう。このため、浴室用換気装置１を壁際に取り付けることができず、天井の中央部がドーム状になっているユニットバスにはその中央部には取り付けることができないことにより、そのユニットバスには浴室用換気装置１を取り付けられないという問題があった。
【００１１】
また、反射板８が固定されていることにより熱線の輻射方向が固定されてしまい、このため、浴室用換気装置１の設置位置によって入浴者に当たる輻射量が大きく異なってしまう等の問題があった。
【００１２】
この発明の第１の目的は、浴室の壁際でも取り付けることのできる浴室用換気装置を提供することにある。
【００１３】
この発明の第２の目的は、浴室用換気装置の取付位置に拘わらず、入浴者に当たる輻射量を一定にすることのできる浴室用換気装置を提供することにある。
【００１４】
【課題を解決するための手段】
上記目的を達成するため、請求項１の発明は、換気ユニットと、室内に臨む換気ユニットの吸気開口および吹出開口に隣接した位置に設けられた輻射暖房ユニットとを備え、この輻射暖房ユニットのケースの底面に輻射開口を設けた浴室用換気装置であって、
前記換気ユニット側へ斜め下方に向けて、前記輻射開口から熱線を輻射させる輻射手段と、
前記輻射開口に対して輻射手段と反対方向からその輻射開口に向けて空気を送り出す送風手段とを前記ケース内に設け、
前記輻射開口には格子状のガード金具が取り付けられ、
前記送風手段は、送風ファンと、該送風ファンの周囲を囲むとともに吹出口を形成した案内風路部材とを備え、前記送風ファンの回転により前記吹出口から前記ガード金具が取り付けられた前記輻射開口に向けて空気を吹き出すことを特徴とする。
【００１５】
請求項２の発明は、前記輻射手段は、熱線を発生するヒータと、このヒータの後方に配置されるとともに前記熱線を反射する反射板とを有し、この反射板の向きを可変にしたことを特徴とする。
【００１６】
請求項３の発明は、前記送風手段の吹出口の向きを可変にしたことを特徴とする。
【００１７】
請求項４の発明は、前記反射板の向きと前記送風手段の吹出口の向きとを連動させたことを特徴とする。
【００１９】
【発明の実施の形態】
以下、この発明に係わる浴室用換気装置の実施の形態を図面に基づいて説明する。
【００２０】
［第１実施形態］
図１ないし図４に示す浴室用換気装置１０は、換気ユニット１１と暖房ユニット（輻射暖房ユニット）２０とを備え、換気ユニット１１と暖房ユニット２０とが一体となっている。
【００２１】
換気ユニット１１は、天井に埋め込まれる筺体状の換気ケース１２を有し、この換気ケース１２の下面には、浴室内の空気を吸気する吸込口（給気開口）１３と浴室内へ温風を吹き出す吹出口１４とが設けられている。吹出口１４内にはヒータＨが設けられており、吹出口１４から吹き出す空気をそのヒータＨによって暖めるようになっている。
【００２２】
また、換気ケース１２の側方には排気口１５が設けられており、この排気口１５は室外に連通されている。また、換気ケース１２内にはダンパＤが設けられており、このダンパＤは図４に示す実線位置と破線位置と鎖線位置とに切り換え可能となっている。ダンパＤが実線位置に切り換わると吸込口１３と吹出口１４とが連通されてヒータＨの通電により暖房モードとなる。ダンパＤが破線位置に切り換わると吸込口１３と排気口１５とが連通されて換気モードとなる。また、ダンパＤが中間位置である鎖線位置に切り換わるとヒータＨの通電により乾燥モードとなり、衣類の乾燥が行えるようになっている。さらに、ヒータＨを非通電状態にすると涼風モードとして風を吹出口１４から吹き出すようになっている。
【００２３】
また、換気ケース１２内には遠心ファンＦが設けられており、この遠心ファンＦによって吸込口１３から空気を吸気し、この吸気した空気を吹出口１４から吹き出させたり、排気口１５から排気したりするようになっている。Ｍ１は遠心ファンＦを回転させるモータであり、このモータＭは換気ケース１２の天板１２Ａに固定されている。
【００２４】
暖房ユニット２０は、図４に示すように、吸込口１３および吹出口１４に隣接するとともに天井から下方に突出する暖房ケース２１を有し、この暖房ケース２１の底面には輻射開口２２が形成され、この輻射開口２２には格子状に形成されたガード金具２３が取り付けられている。
【００２５】
暖房ケース２１内には、図５に示すように、カーボンランプ２４と反射板２５と送風ファン２６等とが設けられている。カーボンランプ２４は輻射開口２２の右側（図５において）に配置され、反射板２５はカーボンランプ２４から発生する熱線を輻射開口２２から換気ユニット１１側へ斜め下方に向けて輻射させるようになっている。そして、カーボンランプ２４と反射板２５とで輻射手段が構成される。
【００２６】
送風ファン２６は、輻射開口２２の左側の上方に配置されており、暖房ケース２１の天板２１Ａに垂下された保持板２９に取り付けられたモータＭ２の駆動軸Ｍaに装着されている。この保持板２９には案内風路板２８が取り付けられており、この案内風路板２８が送風ファン２６の周囲を囲んでいる。この案内風路板２８には吹出口２７が形成されており、送風ファン２６が回転すると吹出口２７から輻射開口２２に向けて吹き出すようになっている。そして、送風ファン２６と案内風路板２８とで送風手段が構成される。
【００２７】
吹出口２７から吹き出す空気は、図５に示すように、輻射開口２２の左側から右側へ斜め下方に且つ輻射開口２２に向けて吹き出すようになっている。
【００２８】
次に、上記のように構成される浴室用換気装置１０の作用について説明する。
【００２９】
先ず、図示しない操作部の操作スイッチの操作により暖房モードを設定すると、ダンパＤが図４に示す実線位置に切り換わって換気ユニット１１の吸込口１３と吹出口１４とが連通され、ヒータＨが通電される。そして、モータＭ１が駆動されて遠心ファンＦが回転していく。この遠心ファンＦの回転によって吸込口１３から浴室内の空気が吸気され、この吸気した空気がヒータＨによって暖められて温風となって吹出口１４から浴室内へ吹き出ていく。
【００３０】
一方、カーボンランプ２４が通電されるとともにモータＭ２が駆動されて送風ファン２６が回転していく。カーボンランプ２４は通電により熱線を放射し、この熱線が反射板２５により図５の破線で示す方向へ輻射する。この輻射により、浴室内の温度が十分に上がっていなくても入浴者の体を暖めて寒さを感じさせないことになる。
【００３１】
また、カーボンランプ２４の熱線により輻射開口２２のガード金具２３やその周辺の温度が上昇していくが、送風ファン２６の回転により案内風路板２８の吹出口２７から図５の実線で示す矢印方向に空気が吹き出していくので、輻射開口２２のガード金具２３が冷却される。また、吹出口２７から吹き出す空気は図５に示すように輻射開口２２から吹き出されることにより、その空気が浴室の壁３０に当たり、その壁３０が冷却される。このため、浴室用換気装置１０を壁３０際に配置することができ、中央部の天井がドーム状になっているユニットバスにも浴室用換気装置１０を取り付けることができる。
【００３２】
［第２実施形態］
図６および図７は第２実施形態の浴室用換気装置４０を示したものであり、この浴室用換気装置４０では、反射板２５の向きが変えられるようにしたものである。
【００３３】
図８に示すように、反射板２５の両側板部２５Ａにカーボンランプ２４の軸線上に軸２５Ｊ,２５Ｋを設け、この軸２５Ｊ,２５Ｋを暖房ケース２１の両側壁部２１Ｂ,２１Ｂに軸支させて軸２５Ｊ,２５Ｋ回りに反射板２５を回動可能にし、一方の軸２５Ｋを側壁部２１Ｂを貫通させ、この軸２５Ｋに操作ダイヤルＪを取り付け、この操作ダイヤルＪを回動操作することにより、反射板２５をカーボンランプ２４の軸線回りに回動させて反射板２５の向きが変えられるようにしたものである。カーボンランプ２４はブラケットＢを介して暖房ケース２１の両側壁部２１Ｂ,２１Ｂに固定されている。
【００３４】
この反射板２５の向きを変えることにより、浴室用換気装置４０の取付位置に拘わらず、浴室の洗い場や浴槽に向けて所定量の熱線を輻射することができ、入浴者に当たる熱線の輻射量を一定に保つことができる。
【００３５】
［第３実施形態］
図９は第３実施形態の浴室用換気装置５０を示したものであり、この第３実施形態の浴室用換気装置５０では、第２実施形態の送風ファン２６や案内風路板２８Ａ,２８Ｂを省略したものである。この浴室用換気装置５０では、反射板２５の向きが換えられるので、第２実施形態の浴室用換気装置４０と同様な効果を得ることができる。
【００３６】
［第４実施形態］
図１０は第４実施形態の浴室用換気装置６０を示したものであり、この第４実施形態の浴室用換気装置６０では、案内風路板２８に吹出口の向きが変えられるノズルＮを設けるとともに、反射板２５の向きをモータで変え、反射板２５の向きに連動してノズルＮの向きを変えるようにしたものである。
【００３７】
ノズルＮは、図１１および図１２に示すように、先端に吹出口Ｎaを有し後部に断面が円弧状の凹部６２を形成した連結部６３を有している。他方、案内風路２８の先端部の断面が円弧状の連結部２８aが形成され、この連結部２８aがノズルＮの連結部６３の凹部６２に回動自在に嵌入されており、ノズルＮが凹部６２の曲率中心を中心にして回動するようになっている。
【００３８】
また、ノズルＮの側方にはモータ６４が設けられており、このモータ６４によってノズルＮが回動するようになっている。このモータ６４は暖房ケース２１の側壁部２１Ｂに固定されている。
【００３９】
反射板２５は、図１３に示すように、側板２５Ａにモータ６６の駆動軸６６aを取り付けてモータ６６によって回動するようになっている。モータ６６は暖房ケース２１の側壁部２１Ｂに固定されている。
【００４０】
図１４は第４実施形態の換気装置の制御系の構成を示したブロック図である。図１４において、７０は操作部７１の操作スイッチ(図示せず)の操作に基づいてモータ６６を制御して反射板２５を所望位置へ回動させるとともに、反射板２５の向きに応じてモータ６４を制御する制御装置である。この制御装置７０は、反射板２５による輻射方向の中心線２５eとノズルＮの方向を示す中心線Ｎeとが輻射開口２２上で交差するようにモータ６４を制御するようになっている。
【００４１】
この第４実施形態によれば、反射板２５によって照射される輻射量の多いガード金具２３の部分に向けてノズルＮから空気を吹き付けることができるので、効率よくガード金具２３を冷却することができ、浴室用換気装置６０を壁際に取り付けてもより安全なものにすることができる。
【００４２】
［第５実施形態］
図１５は第５実施形態の浴室用換気装置８０を示したものである。この浴室用換気装置８０では、浴室８１に２つの人感センサＳ1,Ｓ2を配置し、人感センサＳ1で洗い場８１Ａに入浴者がいるか否かを検知し、人感センサＳ2で浴槽８１Ｂに入浴者がいるか否かを検知し、各人感センサＳ1,Ｓ2の検知状態に応じて反射板２５の向きを変えるようにしたものである。
【００４３】
この第５実施形態の浴室用換気装置８０は、第４実施形態の浴室換気装置６０と同一構成なのでその説明は省略する。
【００４４】
図１６は第５実施形態の浴室用換気装置８０の制御系の構成を示したブロック図である。図１６において、８５は各人感センサＳ1,Ｓ2の検知状態に応じてモータ６６を制御して反射板２５を入浴者がいる方向に向けて回動させるとともに、その反射板２５の向きに応じてモータ６４を制御する制御装置である。また、この制御装置８５は、第４実施形態と同様に反射板２５による輻射方向の中心線２５eとノズルＮの方向を示す中心線Ｎeとが輻射開口２２上で交差するようにモータ６４を制御するようになっている。
【００４５】
この第５実施形態の浴室用換気装置８０の反射板２５を入浴者のいる方向に向けて回動させるので、入浴者は洗い場８１Ａや浴槽８１Ｂのどちらにいても常に所定量の輻射熱を受けることができ、寒さを感じないで済むことになる。
【００４６】
この第２実施形態では、２つの人感センサＳ1,Ｓ2で入浴者を検知しているが、３つ以上の人感センサを用いて入浴者のいる位置を細かく検出して反射板２５の向きを制御してもよい。
【００４７】
【発明の効果】
以上説明したように、請求項１の発明によれば、浴室の壁際でも浴室用換気装置を取り付けることができる。
【００４８】
請求項２の発明によれば、浴室の壁際でも浴室用換気装置を取り付けることができるとともに、浴室用換気装置の取付位置に拘わりなく、所定の方向に所定量の熱線を輻射することができる。
【００５０】
請求項３および請求項４の発明によれば、輻射によって温度上昇が生じ易い輻射暖房ユニットの部分に風を吹き付けることにより、その部分を効率良く冷却することができる。
【図面の簡単な説明】
【図１】この発明に係る浴室用換気装置の示した斜視図である。
【図２】図１に示す浴室用換気装置の底面図である。
【図３】図１に示す浴室用換気装置の側面図である。
【図４】図１に示す浴室用換気装置の換気ユニットの断面図である。
【図５】図１に示す浴室用換気装置の暖房ユニットの断面図である。
【図６】第２実施形態の暖房ユニットの構成を示した断面図である。
【図７】第２実施形態の浴室用換気装置を示した側面図である。
【図８】反射板の回動構造を示した説明図である。
【図９】第３実施形態の暖房ユニットの構成を示した断面図である。
【図１０】第４実施形態の暖房ユニットの構成を示した断面図である。
【図１１】ノズルを示した斜視図である。
【図１２】ノズルの回動構造を示した断面図である。
【図１３】第４実施形態の反射板の回動構造を示した説明図である。
【図１４】第４実施形態の制御系の構成を示したブロック図である。
【図１５】第５実施形態の浴室用換気装置を浴室に設置した状態を示した説明図である。
【図１６】第５実施形態の制御系の構成を示したブロック図である。
【図１７】従来の浴室用換気装置を示した説明図である。
【符号の説明】
１０        浴室用換気装置
１１        換気ユニット
２０        暖房ユニット
２１        暖房ケース
２２        輻射開口
２４        カーボンランプ
２５        反射板
２６        送風ファン
２８        案内風路板
【図１】
0003951684.tif 000002
【図２】
0003951684.tif 000003
【図３】
0003951684.tif 000004
【図４】
0003951684.tif 000005
【図５】
0003951684.tif 000006
【図６】
0003951684.tif 000007
【図７】
0003951684.tif 000008
【図８】
0003951684.tif 000009
【図９】
0003951684.tif 000010
【図１０】
0003951684.tif 000011
【図１１】
0003951684.tif 000012
【図１２】
0003951684.tif 000013
【図１３】
0003951684.tif 000014
【図１４】
0003951684.tif 000015
【図１５】
0003951684.tif 000016
【図１６】
0003951684.tif 000017
【図１７】
0003951684.tif 000018